(57)【要約】【課題】製品情報の制定、改訂、廃止の履歴及び理由を管理し、それらに基づいて開発製品の規格情報に反映させることにより、未然に品質問題の発生を防ぐと共に、製品の開発効率を向上させることができる製品情報表示システムを提供することである。【解決手段】上記課題を解決するために、製品の特性を示す規格情報を有する複数の製品情報を表示する製品情報表示システムであって、上記規格情報の所定の規格値に対して、制定、改訂、廃止のいずれかが行われたときの複数の制改廃履歴及び制改廃理由を有する上記複数の製品情報を管理する製品情報管理手段と、上記製品情報管理手段により管理された上記複数の制改廃履歴及び制改廃理由に対して、視覚的に認識可能な表示を行う表示制御手段とを有する構成とされる。【選択図】        図２
2004326439.tif 000002
【特許請求の範囲】
【請求項１】
製品の特性を示す規格情報を有する複数の製品情報を表示する製品情報表示システムであって、
上記規格情報の所定の規格値に対して、制定、改訂、廃止のいずれかが行われたときの複数の制改廃履歴を有する上記複数の製品情報を管理する製品情報管理手段と、
上記製品情報管理手段により管理された上記複数の制改廃履歴に対して、視覚的に認識可能な表示を行う表示制御手段とを有することを特徴とする製品情報表示システム。
【請求項２】
上記製品情報管理手段により管理された上記製品情報は、上記規格値毎に上記規格値に関する制定、改訂、廃止の理由情報を有し、
上記表示制御手段は、上記規格値に対する上記制定、改訂、廃止の理由の情報の表示を行うことを特徴とする請求項１記載の製品情報表示システム。
【請求項３】
上記表示制御手段は、複数の製品情報に対する上記制改廃履歴を対比して視覚的に認識可能な表示を行うことを特徴とする請求項１乃至２いずれか一項記載の製品情報表示システム。
【請求項４】
製品の特性を示す規格情報を有する複数の製品情報を管理する製品情報管理手段を有する製品情報対比サーバーにおける上記複数の製品情報を表示する製品情報表示方法であって、
上記規格情報の所定の規格値に対して、制定、改訂、廃止のいずれかが行われたときの複数の制改廃履歴を製品情報管理手段に格納する製品情報格納手順と、
上記製品情報格納手順により格納された上記複数の制改廃履歴に対して、視覚的に認識可能な表示を行う表示制御手順とを有することを特徴とする製品情報表示方法。
【請求項５】
上記製品情報管理手段に上記規格値毎に上記規格値に関する制定、改訂、廃止の理由情報を有する上記製品情報を格納する製品情報格納手順と、上記製品情報格納手順により格納された上記理由情報に対して
、視覚的に認識可能な表示を行う表示制御手順とを有することを特徴とする請求項４記載の製品情報表示方法。
【請求項６】
上記表示制御手順は、複数の製品情報に対する上記制改廃履歴を対比して視覚的に認識可能な表示を行うことを特徴とする請求項４乃至５いずれか一項記載の製品情報表示方法。
【発明の詳細な説明】
【０００１】
【発明の属する技術分野】
本発明は、製品情報表示システムに係り、特に、電子写真式プリンター等に用いられるサプライ製品の複数の製品情報を管理し、それらの製品情報を対比するための表示を行う製品情報表示システムに関する。
【０００２】
【従来の技術】
従来、電子写真式プリンター等の製品の多様化に伴い、それらの製品の部品やサプライ製品も多様化しつつある。それらの製品の部品やサプライ製品は、それぞれ別個に設計される場合が多い。また、その製品に関する製品情報は、製品毎に所定の規格書に基づいて管理されている。
【０００３】
以下に、従来の製品情報を用いて開発を行う手順について説明する。図１は従来における製品の開発を説明するための図である。図１において、先ず、製品情報を用いて開発を行う開発用システムへ、開発する製品、製造工程の要求特性を入力し（ステップＳ１）、その製品の処方設計を行う（ステップＳ２）。次に、製品の生産準備を行い（ステップＳ３）、生産準備を行った後、製品の試作・評価を行う（ステップＳ４）。次に、試作を行った製品に不具合が生じた場合、設計変更を実行する（ステップＳ５）。設計変更を行った製品に対して試作・評価を行う（ステップＳ６）。また、設定変更を行った製品に不具合が生じた場合、ステップＳ５、Ｓ６と同様の処理を繰り返す（ステップＳ７、Ｓ８）。尚、図１に示す手順に限定されることなく、製品の不具合がなくなるまで、ステップＳ５、Ｓ６と同様の処理を繰り返す。次に、製品の不具合がなくなると、開発製品が量産され（ステップＳ９）、その製品が市場で販売、使用される（ステップＳ１０）。ステップＳ９の処理で、それらの量産された製品のバラツキが大きい場合、その製品の劣化、即ち品質問題が発生してしまう（ステップＳ１１）。
【０００４】
例えば、サプライ製品がトナーの場合、そのトナーに使用される代表的な材料としては、樹脂、ＣＣＡ、添加剤、離形剤、顔料、ＭＢ（マスターバッチ）があり、その特性としては、化学特性、キャリア特性、光学特性、粉体特性、磁気特性、成分、粒径分布、電気特性、熱特性、物理特性、外観、その他製造条件などがある。このように、原材料に関する規格、品質に関する規格、製造に関する規格等によりトナーが開発、製造されるが、同じ原材料を用いる場合であってもそのトナーが用いられる機種等の条件の違いにより独立して規格が定められているのが現状である。
【０００５】
また、図１に示すように開発した製品の量産後に、トナー飛散などの品質問題が発生した場合、その品質問題は、水準や範囲の未設定、設計、開発段階での担当者による規格値の設定漏れや、評価漏れに起因している。この対応策として、製品規格や原材料規格に新たな項目を製品情報に追加したり、検査規格の水準変更や製造条件に制約を設けるように製品情報を更新する必要がある。
【０００６】
また、従来技術として、部品情報を管理するシステムや（例えば、特許文献１参照）、製品の生産方法及び在庫管理方法（例えば、特許文献２参照）などがある。
【０００７】
【特許文献１】
特開２００１−２６５８３８号公報
【０００８】
【特許文献２】
特開２００２−６２９２６号公報
【０００９】
【発明が解決しようとする課題】
しかしながら、上記のような従来の製品情報には、複数の製品情報の規格の制定、改訂、廃止に関する情報が正確に管理されていない場合が多く、複数の規格値の制定、改訂、廃止理由を参照及び制定、改訂、廃止履歴などを比較する点について十分とはいえない。
【００１０】
また、量産後に規格情報の変更があった所定の製品に類似する製品を開発する場合、類似する製品の開発者は上記所定の製品の規格情報の上記理由について所定の製品の規格情報設定者に変更の経緯及びその理由を問い合わせる必要があり、開発効率を低下させてしまうという問題点があった。
【００１１】
そこで、本発明の課題は、製品情報の制定、改訂、廃止の履歴及び理由を管理し、それらに基づいて開発製品の規格情報に反映させることにより、未然に品質問題の発生を防ぐと共に、製品の開発効率を向上させることができる製品情報表示システム及び製品情報表示方法を提供することである。
【００１２】
【課題を解決するための手段】
上記の課題を解決するため、本発明は、請求項１に記載されるように、製品の特性を示す規格情報を有する複数の製品情報を表示する製品情報表示システムであって、上記規格情報の所定の規格値に対して、制定、改訂、廃止のいずれかが行われたときの複数の制改廃履歴を有する上記複数の製品情報を管理する製品情報管理手段と、上記製品情報管理手段により管理された上記複数の制改廃履歴に対して、視覚的に認識可能な表示を行う表示制御手段とを有する構成とされる。
【００１３】
このような製品情報表示システムでは、規格情報の所定の規格値に対して、制定、改訂、廃止のいずれかが行われたときの複数の制改廃履歴を有する複数の製品情報を管理し、その制改廃履歴に対して視覚的に認識可能な表示を行うことにより、制改廃履歴を視覚的に認識して開発製品の規格情報に反映させることができ、未然に品質問題の発生を防ぐと共に、製品の開発効率を向上させることができる。
【００１４】
製品開発に関する技術情報を認識するという観点から、本発明は、請求項２に記載されるように、上記製品情報管理手段により管理された上記製品情報は、上記規格値毎に上記規格値に関する制定、改訂、廃止の理由の情報を有し、上記表示制御手段は、上記規格値に対する上記制定、改訂、廃止の理由の情報の表示を行うように構成することができる。
【００１５】
このような製品情報表示システムでは、規格値に対する制改廃理由の表示を行うことにより、上記制改廃理由を認識して開発製品の規格情報に反映させることができ、未然に品質問題の発生を防ぐと共に、製品の開発効率を向上させることができる。
【００１６】
複数の製品の制改廃履歴を対比するという観点から、本発明は、請求項３に記載されるように、上記表示制御手段は、複数の製品情報に対する上記制改廃履歴を対比して視覚的に認識可能な表示を行うように構成することができる。
【００１７】
このような製品情報表示システムでは、複数の製品情報に対する制改廃履歴が視覚的に認識可能であることにより、その認識結果を開発製品の規格情報に反映させることができ、未然に品質問題の発生を防ぐと共に、製品の開発効率を向上させることができる。
【００１８】
また、上記課題を解決するため、本発明は、製品情報表示方法、及び製品情報表示方法における処理をコンピューターに行わせるためのプログラム及びそのプログラムを格納した記録媒体とすることもできる。
【００１９】
【発明の実施の形態】
以下、本発明の実施の形態を図面に基づいて説明する。
【００２０】
図２は、本発明の実施の一形態に係る製品情報対比システムにおける構成図である。図２において、製品情報対比システム１０は、請求項に記載される製品情報表示システムに対応し、開発された製品毎の製品情報を管理する製品情報管理サーバー２０と、製品情報に基づいて製品の開発を行う開発者側端末３０ａ〜３０ｘとで構成されるシステムである。尚、ネットワーク１を介して製品情報管理サーバー２０と、開発者側端末３０ａ〜３０ｘとが接続される。
【００２１】
図２において、製品情報管理サーバー２０は、サーバコンピュータであって、ＣＰＵ（中央処理装置）によって以下に示す各構成が制御される。ＣＰＵは、メモリユニットに格納されたプログラムに従って製品情報対比システム１０での処理を行う。この製品情報管理サーバー２０は、主に、製品情報管理処理を実行するプログラムをインストールするインストーラ２１と、データ通信を制御する通信制御処理部２２と、データの入出力を制御する入出力制御処理部２３と、製品情報の表示を制御する製品情報表示制御部２４と、製品情報が格納された製品情報データベース（以下ＤＢと呼ぶ）２５と、各製品の規格情報の制定、改訂、廃止（以下制改廃と呼ぶ）における制改廃履歴などの制改廃情報が格納された制改廃情報ＤＢ２６とで構成される。製品情報ＤＢ２５に格納されるテーブルについては図３、図４で、制改廃情報ＤＢ２６に格納されるテーブルについては図５で詳細に説明する。
【００２２】
通信制御処理部２２は、ネットワーク１によりデータの送受信を制御する処理部であって、ネットワーク網に接続するための通信ユニットを有する。入出力制御処理部２３は、マウス、キーボード等の入力ユニット及びモニタ、プリンタ等の出力ユニットを制御し、データの入出力を制御する。インストーラ２１は、本発明の一実施例に係る製品情報対比システムでの処理を実現するためのプログラムが記録された記録媒体４０から該プログラムを読み出し、その読み出されたプログラムを、例えば、補助記憶装置等にインストールする。そして、製品情報対比処理が起動されると、補助記憶装置にインストールされた当該プログラムに従って、ＣＰＵがその処理を開始する。尚、記録媒体４０は、当該プログラムを格納する媒体としてＲＯＭ等、コンピュータが読み取り可能な媒体であればよい。
【００２３】
また、製品情報表示制御部２４は、ディスプレイ等の表示ユニットを有し、製品情報ＤＢ２５に格納された製品情報、及び制改廃情報ＤＢ２６に格納された制改廃情報とに基づいて、複数の製品情報を対比するための画面表示を制御する。例えば、管理者により製品情報管理サーバー２０に設けられたキーボードから、製品情報対比処理を起動する入力が行われると、製品情報表示制御部２４は、製品情報対比処理を起動する。製品情報表示制御部２４は、管理者に製品の指定を促すための画面を表示させると共に、管理者が指定した複数の製品に対する制改廃情報を画面に表示させる。特に、制改廃情報画面から、所定の規格値に対する制改廃履歴をグラフで表示させると共に、制改廃の理由等を表示させる。
【００２４】
これにより、管理者は、所定の規格値に対する制改廃履歴のグラフ表示から、所定の規格値の制改廃状況を視覚的に認識することができると共に、制改廃の理由を認識することができる。
【００２５】
尚、開発者側端末３０ａ〜３０ｘは、上記製品情報管理サーバー２０のインストーラ２１、通信制御処理部２２、入出力制御処理部２３、製品情報表示制御部２４と同様の構成を有するため、説明を省略する。
【００２６】
次に、製品情報ＤＢ２５に格納されるテーブルについて説明する。図３、図４は、製品情報ＤＢに格納されるテーブルを示す図である。先ず、図３において、製品情報ＤＢ２５に格納されるテーブル２５０は、トナーの製品名を示す項目と、適応する機種名を示す項目と、製品の処方を示す項目と、製品を更新した日時を示す項目と、製品の色を示す項目とで構成される。製品名「製品Ａ」には、「製品Ａ」の色毎の製品名が格納され、例えば、テーブル２５０には、色毎の製品名「Ａ−ＢＫ」に対して、機種名「ａａａａ」と、処方「オイル塗布」と、更新日「２００２／０７／１０」と、色「ブラック」とが格納されている。
【００２７】
次に、図４において、製品情報ＤＢ２５に格納されるテーブル２５１は、トナーの製品名を示す項目と、粒径分布の複数の特性１〜３を示す項目と、粉体特性の特性４を示す項目と、電気特性の複数の特性５〜７を示す項目と、熱特性の特性８を示す項目と、光学特性複数の特性９〜１１を示す項目と、環境条件の特性１２、１３等を示す項目とで構成される。テーブル２５１には、各製品の各項目に対応する値である規格値が格納されている。尚、上記テーブル２５０、２５１に示す項目に限定されることなく、他の製品情報の対比に必要な項目を設定及び変更することができる。
【００２８】
次に、上記製品情報の制改廃情報の表示処理において、制改廃情報ＤＢ２６に格納されるテーブルについて説明する。図５は、制改廃情報ＤＢに格納されるテーブルを示す図である。図５に示す制改廃情報ＤＢ２６に格納されるテーブル２５２には、各製品の各特性項目に対する複数の制改廃に関する履歴などの制改廃情報が格納されている。テーブル２５２には、トナーの製品名を示す項目と、制改廃された特性を示す項目と、制改廃を示す項目と、設定された特性に対する値である規格値を示す項目と、規格値からの値の前後が許容される範囲である規格値幅を示す項目と、製品開発に関する試験方法を示す項目と、制改廃を行った日付を示す項目と、制改廃の理由を示す項目とで構成される。例えば、テーブル２５２には、製品名「Ａ−ＢＫ」と、特性項目「特性２」と、制改廃項目「制定」と、規格値「１０」と、規格幅「±１」と、試験方法「××測定」と、制改廃日「０２／１１／２１」と、制改廃理由「×××」とが格納されている。
【００２９】
次に、製品情報対比処理において、製品情報管理サーバー２０の表示ユニットに表示される画面遷移について説明する。図６は、製品情報対比処理における画面遷移を示す図である。図６に示す画面２００は、製品情報対比処理の起動により表示される画面である。画面２００には、製品情報が表示される表示域２０１と、詳細情報を表示する製品を選択するための入力域２０２と、製品情報の作成画面を表示させる作成画面ボタン２０３と、製品別に製品情報を表示させる製品別ボタン２０４と、処方別に製品情報を表示させる処方ボタン２０５と、製品が用いられる機種別に製品情報を表示させるボタン２０６と、製品が用いられる機種のカテゴリ別に製品情報を表示させるボタン２０７と、規格別に製品情報を表示させる規格別ボタン２０８とが表示される。表示域２０１には、図３に示すテーブル２５０に格納された製品情報が表示され、製品名、機種名、処方、更新日を示す項目が表示される。例えば、管理者が製品名「Ａ−Ｃ」の入力域２０２をチェックすると、製品名「Ａ−Ｃ」の詳細な製品情報が表示される。また、表示域２０９に示すように製品名「Ａ−ＢＫ」が選択された状態で、規格別ボタン２０８を選択すると、以下に示す制改廃情報画面が表示される。
【００３０】
次に、制改廃情報の表示画面について説明する。図７は、所定の製品に対する制改廃情報の表示画面を示す図である。図７に示す制改廃情報画面２２０には、タイトル「製品規格」を示す表示域２２１と、製品名「Ａ−ＢＫ」を示す表示域２２２と、選択した所定の規格値に対する制改廃履歴をグラフ表示させる制改廃履歴ボタン２２３と、前に表示された画面に戻るためのボタン２２４と、表示された画面２２０の情報を表計算ソフトウェア上で出力するための出力ボタン２２５と、所定の製品に対する制改廃情報を選択及び表示する選択表示域２２６とが表示される。
【００３１】
選択表示域２２６には、制改廃された特性を示す特性項目と、設定された規格値を示す項目と、規格幅を示す項目と、製品開発に関する試験方法を示す項目と、制改廃が行われた日付を示す項目とが表示される。
【００３２】
例えば、選択表示域２２６内で、表示域２２７に示すように特性項目「特性４」に対する規格値「１１」を選択し、制改廃履歴ボタン２２３を選択すると、以下に示すように選択された特性項目に対する規格値の制改廃履歴を、視覚的に容易に認識することができるグラフ等で画面に表示される。
【００３３】
次に、選択された特性項目に対する規格値の制改廃履歴の表示画面について説明する。図８は、所定の特性項目に対する制改廃履歴の表示画面を示す図である。図８に示す画面２３０には、選択された特性項目に対する規格値の制改廃履歴がグラフで表示される。画面２３０には、選択された特性項目「特性４」と、「制改廃履歴」が画面タイトルとして表示される。画面２３０において、グラフの横軸を制改廃が行われた日付、縦軸を規格値及び規格幅として制改廃履歴が表示される。例えば、制改廃日付「０２／９／２６」に対するグラフ上の規格値及び規格幅２３１を選択すると、以下に示すように特性項目に対する制改廃理由が画面に表示される。尚、上記画面２３０に示すグラフ表示に限定されることなく、規格値が視覚的に容易に認識可能な表示形式であればよい。
【００３４】
次に、選択された規格値２３１が制定されている場合、その制改廃理由の表示画面について説明する。図９は、所定の規格値に対する制改廃理由の表示画面を示す図である。図９に示す画面２４０には、選択された規格値２３１が制定されているため、その制改廃理由と、制改廃情報及び製品情報が表示される。画面２４０には、選択された規格値の製品に関する情報を示す表示域２４１と、選択された規格値に対する制改廃情報を示す表示域２４２と、制改廃理由を示す表示域２４３とが表示される。表示域２４１には、選択された規格値の製品名を示す項目と、対応する機種名を示す項目と、処方を示す項目と、色を示す項目とが表示される。また、表示域２４２には制改廃内容を示す項目と、特性項目を示す項目と、制改廃前の値及び制改廃後の値を示す項目とが表示される。従って、画面２４０により選択された規格値の制改廃理由、制改廃情報及び製品情報を認識することができる。
【００３５】
このように、所定の規格値に対する制改廃情報を視覚的に容易に認識することができる表示を行うと共に、試験方法及び制改廃理由等を表示させることにより、管理者が製品の開発過程で制改廃に関する履歴を認識し、その認識結果を開発製品の規格情報に反映させることができ、未然に品質問題の発生を防ぐと共に、製品の開発効率を向上させることができる。
【００３６】
次に、複数の製品情報の規格情報を対比させて表示する画面について説明する。図１０は、複数の製品に対する規格情報の表示画面を示す図である。図１０に示す規格情報画面２５０には、タイトル「製品規格」を示す表示域２５１と、基準の製品名「Ａ−ＢＫ」を示す表示域２５２と、選択した所定の規格値比較を表示させる規格値比較ボタン２５３と、選択した所定の規格値に対する規格幅比較を表示させる規格幅比較ボタン２５４と、選択した所定の規格値に対する制改廃履歴比較を表示させる制改廃履歴比較ボタン２５５と、前に表示された画面に戻るためのボタン２５６と、表示された画面２５０の情報を表計算ソフトウェア上で出力するための出力ボタン２５７と、所定の製品に対する制改廃情報を選択及び表示する選択表示域を選択及び表示する選択表示域２５８とが表示される。
【００３７】
選択表示域２５８には、各製品の分類を示す項目と、制改廃された規格値を示す規格項目と、基準製品と比較する製品の製品情報及び規格値を示す項目とが表示される。「特性４」について選択表示域２５８に表示されている４製品について比較をしたい場合、表示域２５９に示すように特性項目「特性４」に対する製品名「Ａ−ＢＫ」、「Ａ−Ｃ」、「Ａ−Ｍ」、「Ａ−Ｙ」の規格値を選択し、上記比較ボタンのいずれかを選択する。
【００３８】
規格値比較ボタン２５３を選択すると、図１１に示すように選択された複数の規格値及び規格幅の比較を、視覚的に容易に行うことができるグラフ等で画面に表示される。
【００３９】
また、規格幅比較ボタン２５４を選択すると、図１２に示すように基準となる製品名「Ａ−ＢＫ」の規格値幅と、他の製品の規格値幅との比較を、視覚的に容易に行うことができる。
【００４０】
また、制改廃履歴比較ボタン２５５を選択すると、図１３に示すように基準となる製品名「Ａ−ＢＫ」の制改廃履歴と、他の製品の制改廃履歴との比較を、視覚的に容易に行うことができる。
【００４１】
次に、規格値及び規格幅の比較画面について説明する。図１１は、所定の特性項目に対する規格値及び規格幅の比較画面を示す図である。図１１に示す画面２６１には、選択された特性項目に対する複数の製品（ここでは製品名「Ａ−ＢＫ」、「Ａ−Ｃ」、「Ａ−Ｍ」、「Ａ−Ｙ」）の規格値及び規格幅がグラフで表示される。画面２６１には、選択された特性項目「特性４」と、「規格値比較」が画面タイトルとして表示される。画面２６１において、グラフの横軸を製品名、縦軸を規格及び規格幅の値として規格値及び規格幅が表示される。
【００４２】
次に、規格幅比較画面について説明する。図１２は、所定の特性項目に対する規格幅の比較画面を示す図である。図１２に示す画面２６２には、選択された特性項目に対する複数の製品（ここでは製品名「Ａ−ＢＫ」、「Ａ−Ｃ」、「Ａ−Ｍ」、「Ａ−Ｙ」）の規格幅がグラフで表示される。画面２６２には、選択された特性項目「特性４」と、「規格幅比較」が画面タイトルとして表示される。画面２６２において、グラフの横軸を製品名、縦軸を規格幅の絶対値として規格幅が表示される。
【００４３】
次に、制改廃履歴比較画面について説明する。図１３は、所定の項目に対するし制改廃履歴の比較画面を示す図である。図１３に示す画面２６３には、選択された特性項目に対する複数の製品（ここでは製品名「Ａ−ＢＫ」、「Ａ−Ｃ」、「Ａ−Ｍ」、「Ａ−Ｙ」）の制改廃履歴がグラフで表示される。画面２６３において、グラフの横軸を制改廃が行われた日付、縦軸を規格値及び規格幅として複数の製品の制改廃履歴が表示される。また例えば、制改廃日「０２／０８／３１」に対するグラフ上の製品名「Ａ−ＢＫ」の規格値２６４を選択すると、その規格値２６４に対する制改廃理由が画面に表示される。制改廃理由の画面については、図９に示す画面と同様であるため説明を省略する。
【００４４】
このように、複数の規格値に対する制改廃履歴を対比させて視覚的に容易に認識することができる表示を行うと共に、試験方法及び制改廃の理由等を表示させることにより、その認識結果を開発製品の規格情報に反映させることができ、未然に品質問題の発生を防ぐと共に、製品の開発効率を向上させることができる。
【００４５】
【発明の効果】
上述の如く本発明によれば、規格情報の所定の規格値に対して、制定、改訂、廃止のいずれかが行われたときの複数の制改廃履歴及び制改廃理由を有する複数の製品情報を管理し、その制改廃履歴に対して視覚的に認識可能な表示を行うことにより、制改廃履歴及び制改廃理由を視覚的に認識して開発製品の規格情報に反映させることができ、未然に品質問題の発生を防ぐと共に、製品の開発効率を向上させることができる。
【図面の簡単な説明】
【図１】従来における製品の開発を説明するための図である。
【図２】本発明の実施の一形態に係る製品情報対比システムにおける構成図である。
【図３】製品情報ＤＢに格納されるテーブルを示す図である。
【図４】製品情報ＤＢに格納されるテーブルを示す図である。
【図５】制改廃情報ＤＢに格納されるテーブルを示す図である。
【図６】製品情報対比処理における製品情報を対比する画面を示す図である。
【図７】所定の製品に対する制改廃情報の表示画面を示す図である。
【図８】所定の特性項目に対する制改廃履歴の表示画面を示す図である。
【図９】所定の規格値に対する制定理由の表示画面を示す図である。
【図１０】複数の製品に対する規格情報の表示画面を示す図である。
【図１１】所定の特性項目に対する複数の製品の規格値を比較する画面を示す図である。
【図１２】所定の特性項目に対する複数の製品の規格幅を比較する画面を示す図である。
【図１３】所定の特性項目に対する複数の製品の制改廃履歴を比較する画面を示す図である。
【符号の説明】
１                  ネットワーク
１０                製品情報対比システム
２０                製品情報管理サーバー
２１                インストーラ
２２                通信制御処理部
２３                入出力制御処理部
２４                製品情報表示制御部
２５                製品情報ＤＢ
２６                制改廃情報ＤＢ
３０ａ〜３０ｘ      開発者側端末
４０                記録媒体
【図１】
2004326439.tif 000003
【図２】
2004326439.tif 000004
【図３】
2004326439.tif 000005
【図４】
2004326439.tif 000006
【図５】
2004326439.tif 000007
【図６】
2004326439.tif 000008
【図７】
2004326439.tif 000009
【図８】
2004326439.tif 000010
【図９】
2004326439.tif 000011
【図１０】
2004326439.tif 000012
【図１１】
2004326439.tif 000013
【図１２】
2004326439.tif 000014
【図１３】
2004326439.tif 000015